(57)【要約】【課題】匂いの強い荷物を混載する場合であっても適切な荷物の輸送が行える物流システムを提供する。【解決手段】  荷物Ｗを輸送するための物流システム１であって、荷物Ｗをコンテナ１１に積載して輸送を行う輸送車１０と、コンテナ１１の内部に一定方向の気流Ａを発生させる前部通気口１２及び後部通気口１３とを備え、コンテナ１１に対し匂いの強い荷物Ｗ１を気流Ａの下流側に積載して輸送を行い、匂いのない荷物Ｗに匂いが移ることを抑制する。【選択図】図１
2020168891.tif 000002
【特許請求の範囲】
【請求項１】
荷物を輸送するための物流システムにおいて、
前記荷物をコンテナに積載して輸送を行う輸送車と、
前記コンテナの内部に一定方向の気流を発生させる気流発生部と、を備え、
前記コンテナに対し匂いの強い荷物を前記気流の下流側に積載して輸送が行われる、
物流システム。
【請求項２】
前記気流発生部は、前記コンテナの前部に形成され前記コンテナの内外を連通する前部通気口及び前記コンテナの後部に形成され前記コンテナの内外を連通する後部通気口を含む、
請求項１に記載の物流システム。
【請求項３】
輸送すべき前記荷物の荷物情報を取得する取得部と、
輸送すべき前記荷物が匂いの強い荷物であるか否かを判定する判定部と、
前記コンテナに対し前記匂いの強い荷物を前記気流の下流側へ積載するように積載設定を行う設定部と、
前記設定部により設定された積載設定の情報を出力する出力部と、
を備える請求項１又は２に記載の物流システム。
【発明の詳細な説明】
【技術分野】
【０００１】
本発明は、物流システムに関する。
【背景技術】
【０００２】
従来、荷物の輸送する物流システムに関し、例えば、特開２００８−０３３６９９号公報に記載されるように、車両を用いて荷物の輸送を行うシステムであって、荷物の種類、大きさ、配送先等の荷物情報に基づいて、配車すべき車両の積載能力や台数を決定するものが知られている。
【先行技術文献】
【特許文献】
【０００３】
【特許文献１】特開２００８−０３３６９９号公報
【発明の概要】
【発明が解決しようとする課題】
【０００４】
このようなシステムにおいて、匂いの強い荷物の輸送が依頼される場合がある。強い匂いを発する荷物は、他の荷物に匂いを移すため、同一の車両において他の荷物と混載することが難しい。これに対し、匂いの強い荷物と匂いの強くない荷物を別々の車両で輸送を行うと、荷物の輸送効率が低下してしまう。
【０００５】
そこで、匂いの強い荷物を混載しても適切な荷物の輸送が行える物流システムの開発が望まれている。
【課題を解決するための手段】
【０００６】
そこで、本開示の一態様に係る物流システムは、荷物を輸送するための物流システムにおいて、荷物をコンテナに積載して輸送を行う輸送車と、コンテナの内部に一定方向の気流を発生させる気流発生部とを備え、コンテナに対し匂いの強い荷物を気流の下流側に積載して輸送が行われる。この物流システムによれば、輸送車のコンテナに一定方向の気流が形成され、匂いの強い荷物がコンテナの気流の下流側へ積載させる。このため、匂いの強い荷物と匂いのない荷物を混載しても、匂いのない荷物に匂いが付くことが抑制され、適切な荷物の輸送が行える。
【０００７】
本開示の一態様に係る物流システムにおいて、気流発生部は、コンテナの前部に形成されコンテナの内外を連通する前部通気口及びコンテナの後部に形成されコンテナの内外を連通する後部通気口を含んでもよい。この場合、気流発生部がコンテナの前部に形成される前部通気口及びコンテナの後部に形成される後部通気口を含んで構成される。このため、輸送車の走行により前部通気口から空気を取り込み、後部通気口から空気を排出することができる。これにより、簡易な構造によりコンテナの内部に一定方向の気流を発生させることができる。
【０００８】
本開示の一態様に係る物流システムにおいて、輸送すべき荷物の荷物情報を取得する取得部と、輸送すべき荷物が匂いの強い荷物であるか否かを判定する判定部と、コンテナに対し匂いの強い荷物を気流の下流側へ積載するように積載設定を行う設定部と、設定部により設定された積載設定の情報を出力する出力部とを備えていてもよい。この場合、輸送すべき荷物の荷物情報を取得し、輸送すべき荷物が匂いの強い荷物であるか否かを判定し、匂いの強い荷物をコンテナの気流の下流側へ積載するように積載設定を行う。このため、匂いの強い荷物をコンテナの気流の下流側へ積載させることができる。従って、匂いの強い荷物と匂いのない荷物を混載しても、匂いのない荷物に匂いが付くことが抑制され、適切な荷物の輸送が行える。
【発明の効果】
【０００９】
本開示に係る発明によれば、匂いの強い荷物を混載しても適切な荷物の輸送を行うことができる。
【図面の簡単な説明】
【００１０】
【図１】本開示の実施形態に係る物流システムに用いられる輸送車の概要を示す図である。
【図２】実施形態に係る物流システムの電気的構成を示すブロック図である。
【図３】図２の物流システムの動作を示すフローチャートである。
【発明を実施するための形態】
【００１１】
以下、本発明の実施形態について、図面を参照しながら説明する。なお、図面の説明において同一要素には同一符号を付し、重複する説明は省略する。
【００１２】
図１は、本発明の実施形態に係る物流システムに用いられる輸送車の構成概要図である。図１に示すように、輸送車１０は、荷物Ｗをコンテナ１１に積載して輸送する車両である。輸送車１０は、集配センタから他の集配センタへ荷物Ｗの輸送を行うものでもよいし、集配センタ又は集配所から配送先へ荷物Ｗの配送を行うものであってもよい。集配センタは、例えば輸送クロスドックや物流ターミナルなどが該当する。
【００１３】
コンテナ１１は、荷物Ｗを積載するための箱型の容器であり、例えば床部、前後左右の側部及び天井部を有するものが用いられる。コンテナ１１には、内部に一定方向の気流Ａが形成されるように構成されている。例えば、コンテナ１１の前部には、前部通気口１２が形成されている。前部通気口１２は、コンテナ１１の外部と内部を連通する通気口である。前部通気口１２は、例えばコンテナ１１の前方の側部の下部の位置に形成される。前部通気口１２には、網体１２ａが取り付けられている。網体１２ａは、板状を呈する網であり、虫やごみなどの異物が前部通気口１２を通過することを抑制する。また、コンテナ１１の後部には、後部通気口１３が形成されている。後部通気口１３は、コンテナ１１の外部と内部を連通する通気口である。後部通気口１３は、例えばコンテナ１１の後部の側部の下部の位置に形成される。後部通気口１３には、網体１３ａが取り付けられている。網体１３ａは、板状を呈する網であり、虫やごみなどの異物が後部通気口１３を通過することを抑制する。
【００１４】
コンテナ１１には、壁体１４が形成されている。壁体１４は、コンテナ１１の内部の前方位置に設けられている。壁体１４は、コンテナ１１の前後を仕切るように設けられ、床面から天井に向けて延びている。すなわち、壁体１４は、天井との間に隙間が空くように上方へ延びている。輸送車１０が走行することにより、前部通気口１２からコンテナ１１内へ空気が入り込む。空気は、壁体１４に沿って上方へ流れ、壁体１４の上端を越えてコンテナ１１の後部に向けて流れる。これにより、コンテナ１１の前部から後部へ流れる気流Ａが形成される。そして、気流Ａとなった空気は、後部通気口１３からコンテナ１１の外部へ排出される。コンテナ１１に壁体１４を設け、壁体１４の後方に荷物Ｗを積載することにより、前部通気口１２から雨水が入った場合でも、壁体１４を越えて荷物Ｗの積載領域へ雨水が進入することが抑制される。
【００１５】
コンテナ１１には、荷物Ｗが積載されている。複数の荷物Ｗを積載する場合、荷物Ｗの大きさ、重量、配布先などに基づいてコンテナ１１に対する荷物Ｗの積載の設定が行われる。また、荷物Ｗの中に匂いの強い荷物Ｗ１がある場合、コンテナ１１内の気流Ａの下流側に匂いの強い荷物Ｗ１が積載される。これにより、匂いの強い荷物Ｗ１の匂いが他の荷物Ｗの方へ流れにくく、他の荷物Ｗに匂いが付くことが抑制される。匂いの強い荷物Ｗ１は、所定以上の匂いを発する荷物である。例えば、匂いの強い荷物Ｗ１となる物品について、予めサーバ３に設定されている。具体的には、ゴム、コーヒー、油などの物品の荷物Ｗが匂いの強い荷物Ｗ１として設定されている。なお、匂いの強い荷物Ｗ１は、荷物Ｗに含まれる。
【００１６】
図２は、実施形態に係る物流システムの電気的構成を示すブロック図である。
【００１７】
図２に示すように、物流システム１は、受注部２、サーバ３及び配送部４を備えている。サーバ３と受注部２及び配送部４は、データなどの通信が可能に構成されている。サーバ３と受注部２及び配送部４との通信は、例えばインターネットを介して行ってもよいし、相互に接続した信号線を介して行ってもよい。受注部２は、輸送すべき荷物Ｗの情報を入力する部位であり、例えば荷物Ｗを集配する営業所に設置される端末、集配するドライバが携帯する端末などが該当する。荷物Ｗの情報には、配送先、大きさ、重量、物品の種類が含まれる。
【００１８】
サーバ３は、物流システム１の全体の制御処理を行う電子制御ユニットであり、例えばＣＰＵ（Central Processing Unit）、ＲＯＭ（Read Only Memory）、ＲＡＭ（Random Access Memory）を含むコンピュータにより構成されている。サーバ３には、荷物情報取得部３１、判定部３２及び積載設定部３３を備えている。この荷物情報取得部３１、判定部３２及び積載設定部３３は、例えばサーバ３に導入される制御プログラムによって構成されてもよいし、サーバ３内に個々の電子制御ユニットとして構成されてもよい。
【００１９】
荷物情報取得部３１は、輸送すべき荷物Ｗの情報を取得する。例えば、荷物情報取得部３１は、荷物Ｗの配送先、大きさ、重量、種類などの情報を取得し記録する。荷物Ｗの情報は、受注部２から入力されるデータに基づいて取得される。また、荷物Ｗの情報は、発注を受けた荷物Ｗを集配所や輸送クロスドックなどへ輸送する際に配送車に設けられるカメラの画像に基づいて取得されてもよい。また、荷物Ｗの情報は、輸送クロスドック内などで搬送される荷物Ｗに対しコンベアに設置されるセンサにより取得されてもよい。判定部３２は、輸送すべき荷物Ｗが匂いの強い荷物Ｗ１であるか否かを判定する。例えば、判定部３２は、輸送すべき荷物Ｗが匂いの強い種類の物品である場合、この荷物Ｗが匂いの強い荷物Ｗ１であると判定する。一方、判定部３２は、輸送すべき荷物Ｗが匂いの強い種類の物品でない場合、この荷物Ｗが匂いの強い荷物Ｗ１でないと判定する。匂いの強い種類の物品については、予めサーバ３に記録されている。具体的には、サーバ３において、ゴム、コーヒー、油などの物品については匂いの強い荷物Ｗ１であると記録されている。輸送すべき荷物Ｗがゴム、コーヒー、油などの物品である場合には匂いの強い荷物Ｗ１であると判定される。
【００２０】
積載設定部３３は、輸送車１０のコンテナ１１に対する荷物Ｗの積載設定を行う。例えば、積載設定部３３は、荷物Ｗの配送先、大きさ、重量を含む荷物情報に応じてコンテナ１１に積載する荷物Ｗを決定する。積載設定部３３は、荷物Ｗの中に匂いの強い荷物Ｗ１がない場合、通常積載設定を行う。例えば、積載設定部３３は、荷物Ｗの大きさ、重量を含む荷物情報を考慮してコンテナ１１にできるだけ多くの荷物Ｗが積載できるように積載設定を行う。一方、積載設定部３３は、荷物Ｗの中に匂いの強い荷物Ｗ１がある場合、下流積載設定を行う。例えば、積載設定部３３は、匂いの強い荷物Ｗ１がコンテナ１１の気流Ａの下流側に積載されるように積載設定を行う。具体的には、コンテナ１１において匂いの強い荷物Ｗ１の積載位置が匂いの強くない荷物Ｗの積載位置より下流の位置となるように積載位置が設定される。
【００２１】
匂いの強い荷物Ｗ１が複数ある場合であって、それらの荷物Ｗ１が同じ種類の物品である場合には、同じコンテナ１１の気流Ａの下流側に匂いの強い荷物Ｗ１がそれぞれ積載されるように積載設定が行われる。匂いの強い荷物Ｗ１が複数ある場合であって、それらの荷物Ｗ１が匂いの異なる種類の物品である場合には、それらの匂いの強い荷物Ｗ１をそれぞれ異なるコンテナ１１へ積載されるように積載設定される。この場合も、各コンテナ１１において、匂いの強い荷物Ｗ１が気流Ａの下流側に積載されるように設定が行われる。
【００２２】
サーバ３は、荷物Ｗの積載設定の情報を配送部４へ出力する。配送部４は、輸送すべき荷物Ｗの積載情報を出力する出力部として機能する部位である。配送部４は、例えば配送営業所、配送センタ又は輸送クロスドックなどに設置される端末、集配するドライバが携帯する端末などが該当する。配送部４は、モニタの表示などにより、輸送車１０に積載すべき荷物Ｗの積載情報を出力する。例えば、配送部４は、輸送すべき荷物Ｗ（匂いの強い荷物Ｗ１を含む）と輸送車１０を関連付けて表示する。具体的には、各荷物Ｗをどの輸送車１０のコンテナ１１に積載すべきか、荷物Ｗのコンテナ１１内の積載位置が少なくとも表示される。この荷物Ｗの積載情報に基づいて輸送車１０のコンテナ１１に荷物Ｗが積載される。このとき、コンテナ１１に積載する荷物Ｗの中に匂いの強い荷物Ｗ１がある場合、コンテナ１１の気流Ａの下流側に匂いの強い荷物Ｗ１が積載される。この積載作業は、ドライバや作業員による人力によって行われてもよいし、フォークリフトなどの積載機器やベルトコンベアなどの積載機構を用いて行ってもよい。
【００２３】
次に本実施形態に係る物流システム１の動作について説明する。
【００２４】
図３は、物流システム１の動作を示すフローチャートである。図３のフローチャートは、例えばサーバ３によって実行される。まず、図３のＳ１０に示すように、荷物情報の取得処理が行われる。荷物情報の取得処理は、輸送すべき荷物Ｗの荷物情報を取得する処理である。サーバ３の荷物情報取得部３１は、受注部２から入力される荷物Ｗの情報を荷物情報として取得し記録する。荷物情報は、荷物Ｗの配送先、大きさ、重量、物品の種類などである。
【００２５】
そして、Ｓ１２に処理が移行し、輸送すべき荷物Ｗの中に匂いの強い荷物Ｗがあるか否かが判定される。判定部３２は、Ｓ１０で取得された荷物情報に基づいて荷物Ｗの物品が匂いの強い物品である場合、その荷物Ｗを匂いの強い荷物Ｗ１として記録する。そして、判定部３２は、輸送すべき荷物Ｗの中に匂いの強い荷物Ｗ１が含まれているかどうかを判定する。
【００２６】
Ｓ１２にて輸送すべき荷物Ｗの中に匂いの強い荷物Ｗがないと判定された場合、通常積載設定処理が行われる（Ｓ１４）。通常積載設定処理は、匂いの強い荷物Ｗを気流Ａの下流側に積載することを考慮せずに、荷物Ｗの積載設定を行う処理である。例えば、積載設定部３３は、荷物Ｗの大きさ、重量を含む荷物情報を考慮してコンテナ１１にできるだけ多くの荷物Ｗが積載できるように積載設定を行う。コンテナ１１には積載重量制限及び積載容量制限があるが、これらの積載重量制限及び積載容量制限を考慮してコンテナ１１に対する積載設定が行われる。また、輸送車１０が荷物Ｗの配達車両である場合、配達順序に従って積載してもよい。
【００２７】
Ｓ１２にて輸送すべき荷物Ｗの中に匂いの強い荷物Ｗがあると判定された場合、下流積載設定処理が行われる（Ｓ１６）。下流積載設定処理は、匂いの強い荷物Ｗ１をコンテナ１１の気流Ａの下流側に積載するように積載設定を行う処理である。例えば、コンテナ１１において匂いの強い荷物Ｗ１の積載位置が匂いの強くない荷物Ｗの積載位置より下流の位置となるように積載位置が設定される。このとき、匂いの強い荷物Ｗ１が複数ある場合であって、それらの荷物Ｗ１が同じ種類の物品である場合には、図１に示すように、同じコンテナ１１の気流Ａの下流側に匂いの強い荷物Ｗ１がそれぞれ積載されるように積載設定が行われる。匂いの強い荷物Ｗ１が複数ある場合であって、それらの荷物Ｗ１が匂いの異なる種類の物品である場合には、それらの匂いの強い荷物Ｗ１をそれぞれ異なるコンテナ１１へ積載されるように積載設定される。この場合も、各コンテナ１１において、匂いの強い荷物Ｗ１が気流Ａの下流側に積載されるように設定が行われる。
【００２８】
Ｓ１４の通常積載設定処理及びＳ１６の下流積載設定処理を終えたら、Ｓ１８に処理が移行し、積載情報の出力処理が行われる（Ｓ１８）。出力処理は、積載設定した情報を配送部４へ出力する処理である。サーバ３は、積載設定した情報を配送部４へ出力する。そして、配送部４へ出力された積載設定に基づいて輸送車１０のコンテナ１１へ荷物Ｗが積載される。Ｓ１８の出力処理を終えたら、図３の一連の制御処理を終了する。
【００２９】
以上説明したように、本実施形態に係る物流システム１によれば、輸送車１０のコンテナ１１に一定方向の気流Ａが形成され、匂いの強い荷物Ｗ１が気流Ａの下流側へ積載させる。このため、匂いの強い荷物Ｗ１と匂いのない荷物Ｗを混載しても、匂いのない荷物Ｗに匂いが付くことを抑制することができ、適切な荷物Ｗの輸送が行える。
【００３０】
また、本実施形態に係る物流システム１によれば、コンテナ１１の前部に前部通気口１２を設けコンテナ１１の後部に後部通気口１３を設けることにより、コンテナ１１の内部に一定方向に流れる気流Ａを形成することができる。このため、簡易な構造によりコンテナ１１の内部に一定方向の気流Ａを発生させることができる。
【００３１】
また、本実施形態に係る物流システム１によれば、輸送すべき荷物Ｗの荷物情報を取得し、輸送すべき荷物Ｗが匂いの強い荷物Ｗ１であるか否かを判定し、匂いの強い荷物Ｗ１をコンテナ１１の気流Ａの下流側へ積載するように積載設定を行う。このため、匂いの強い荷物Ｗ１をコンテナ１１の気流Ａの下流側へ積載させることができる。従って、匂いの強い荷物Ｗ１と匂いのない荷物Ｗを混載しても、匂いのない荷物Ｗに匂いが付くことが抑制され、適切な荷物の輸送が行える。
【００３２】
以上のように、本発明の実施形態について説明したが、本発明は上述した実施形態に限定されるものではない。本発明は、特許請求の範囲の記載の要旨を逸脱しない範囲で様々な変形態様で実施することができる。
【００３３】
例えば、上述した実施形態においては、気流発生部として前部通気口１２及び後部通気口１３を設けているが、コンテナ１１の内部に一定方向の気流Ａを形成できるものであれば、前部通気口１２及び後部通気口１３以外のものを用いてもよい。また、図１において、コンテナ１１の内部に前方から後方へ送風する送風機を設けてもよい。この場合、輸送車１０が走行停止している時にも、気流Ａを発生させ続けることができる。このため、匂いの強い荷物Ｗ１と匂いのない荷物Ｗを混載しても、匂いのない荷物Ｗに匂いが付くことを抑制することができ、より適切な荷物Ｗの輸送が行える。
【００３４】
また、上述した実施形態においては匂いの強い荷物Ｗ１を気流Ａの下流側に積載することで匂いの強い荷物Ｗ１の混載を可能としているが、発注者から匂いの強い荷物Ｗ１の混載の承諾を受けている荷物Ｗについては、気流Ａに対し匂いの強い荷物Ｗ１と同じ位置又は匂いの強い荷物Ｗ１の下流位置にその荷物Ｗを積載してもよい。この場合、荷物Ｗの輸送価格を割り引きし又は輸送価格を低くしてもよい。
【符号の説明】
【００３５】
１  物流システム
２  受注部
３  サーバ
４  配送部
１０  輸送車
１１  コンテナ
１２  前部通気口
１２ａ  網体
１３  後部通気口
１３ａ  網体
３１  荷物情報取得部
３２  判定部
３３  積載設定部
Ａ  気流
Ｗ  荷物
Ｗ１  匂いの強い荷物
【図１】
2020168891.tif 000003
【図２】
2020168891.tif 000004
【図３】
2020168891.tif 000005